(57)【要約】【課題】外部からの無線信号を、確実に受信もしくは送信することができる電子錠ボックス１のプリントアンテナ基板３を提供する。【解決手段】電子錠ボックス１のメイン基板２のなす平面に対して、垂直もしくは概略垂直な平面を形成するようにアンテナ基板３を、メイン基板２に立てて接続し、アンテナ基板３には、プリントアンテナ４を設ける。【選択図】　　図１
2004036370.tif 000002
【特許請求の範囲】
【請求項１】
ボックス状電子錠本体である電子錠ボックスと前記電子錠ボックスを無線で操作するリモコンとを含む電子錠システムの電子錠ボックス側において、
前記電子錠ボックスは、メイン基板を内蔵する構成であり、
前記メイン基板のなす平面に対して、垂直もしくは概略垂直な平面を形成するようにアンテナ基板を、前記メイン基板に立てて接続し、
前記アンテナ基板には、プリントアンテナが設けてある、電子錠ボックスのプリントアンテナ基板。
【請求項２】
前記メイン基板が持つ両面のうち、前記アンテナ基板を立てるほうの面は、前記電子錠ボックスのステイタス表示側である正面側に位置する、請求項１記載の電子錠ボックスのプリントアンテナ基板。
【請求項３】
前記ステイタスの表示は、ＬＥＤによるものである、請求項２記載の電子錠ボックスのプリントアンテナ基板。
【発明の詳細な説明】
【０００１】
【発明の属する技術分野】
本発明は、箱状の電子錠本体を無線で操作するリモコンと前記電子錠本体とを構成要素として含む電子錠システムの本体側である電子錠ボックスのプリントアンテナ基板に関する。
【０００２】
【従来の技術】
電子錠本体は、シャックルを具備するボックス状の形状をしており、そのボックス（筐体、ケース）の中には、電池、メイン基板及び開錠／施錠機構（例、ソレノイド）などが収納されている。
前記メイン基板には、制御回路（例、ＣＰＵとその周辺回路）と、無線信号受信回路もしくは無線信号送受信回路と、が搭載されている。なお、以後、前記無線信号受信回路もしくは無線信号送受信回路のことを単に無線回路とも称することにする。
この無線回路は、リモコンが送信する無線信号を受信もしくは送受信するためのプリントアンテナないしパターンアンテナを具備している。電子錠ボックスの外側に露出して、例えばロッド状のアンテナを設けると、そのアンテナが不審者、不届き者に壊されたりすることがままあるから、電子錠ボックの内側にアンテナを設けるのである。そして、そのアンテナは、プリントアンテナであることが望ましい。電子錠ボックスの内側にロッド状のアンテナを設けることも不可能でないが、製造コスト、信頼性、安定性などの点から望ましくない。そこで、現実的には、電子錠ボックス内のメイン基板の無線回路に搭載するアンテナとしては、配線パターンによるプリントアンテナが使われる。
図３は、従来の電子錠ボックスのメイン基板の該略図である。
従来の電子錠ボックスのプリントアンテナ４は、メイン基板２そのものに設けられていたので、メイン基板２と平行な面に受信感度の指向性、いわゆる放射面（図示せず）があり、リモコンからの無線信号を受信し難かった。また、メイン基板２とプリントアンテナ４の受信感度面（放射面）とが平行であることから、アンテナ回路部３ｂとメイン基板２とで一種のリアクタンス成分を形成し、プリントアンテナ４で送信もしくは受信する信号の電流が減衰しやすいという問題もあったので、リモコンからの無線信号を受信し難かった。つまり、リモコンを電子錠ボックスくっ付けるように近づけて操作しなければ、該リモコンで該電子錠本体を開錠することが難しかった。
【０００３】
【発明が解決しようとする課題】
本発明に係る電子錠ボックスのプリントアンテナ基板は、上記した従来の技術が有する問題点に鑑みなされたもので、次の課題を解決することを目的とする。リモコンから電子錠ボックスに送信する無線信号または前記電子錠ボックスから前記リモコンに送信する無線信号を、確実に受信もしくは送信することができる電子錠ボックスのプリントアンテナ基板を提供する。
【０００４】
【課題を解決するための手段】
上記課題を解決するための本第１発明は、請求項１に記載されたとおりの電子錠ボックスのプリントアンテナ基板であり、次のようなものである。
ボックス状電子錠本体である電子錠ボックスと前記電子錠ボックスを無線で操作するリモコンとを含む電子錠システムの電子錠ボックス側において、前記電子錠ボックスは、メイン基板を内蔵する構成であり、前記メイン基板のなす平面に対して、垂直もしくは概略垂直な平面を形成するようにアンテナ基板を、前記メイン基板に立てて接続し、前記アンテナ基板には、プリントアンテナが設けてある、構成である。
【０００５】
上記課題を解決するための本第２発明は、請求項２に記載されたとおりの電子錠ボックスのプリントアンテナ基板であり、次のようなものである。
請求項１記載の電子錠ボックスのプリントアンテナ基板において、前記メイン基板が持つ両面のうち、前記アンテナ基板を立てるほうの面は、前記電子錠ボックスのステイタス表示側である正面側に位置する構成である。
【０００６】
上記課題を解決するための本第３発明は、請求項３に記載されたとおりの電子錠ボックスのプリントアンテナ基板であり、次のようなものである。
請求項２記載の電子錠ボックスのプリントアンテナ基板において、前記ステイタスの表示は、ＬＥＤによるものである。
【０００７】
【発明の実施の形態】
図１は、電子錠ボックスの要部側面断面図である。
電子錠ボックス１は、ドアノブ（図示せず）などに引っ掛けるためのシャックル８を具備する構成とすることができる。このシャックル８は、電子錠システムのリモコン（図示せず）からの操作で解錠することができる。なお、電子錠ボックス１が具備する錠機構は、図示しない。また、電子錠ボックス１は、シャックル８以外の施錠／開錠（解錠）機構をその筐体７内に具備する構成でもよい。例えば、玄関キーなどの小物部品を保管する錠機構付きのケース（図示せず）などを内蔵させてもよい。
電子錠ボックス１は、その筐体７内に電子錠ボックス１の各部を制御する基板であるメイン基板２を具備する。メイン基板２には、その成す平面に対して垂直にアンテナ基板４を立てる。すなわち、メイン基板２（の成す平面）とアンテナ基板３（の成す平面）とは、直交ないし概略直交するようにする。これによって、アンテナ基板３の放射面は、アンテナ基板３の成す平面と平行方向になる。図中、２点鎖線で示すように放射面は、紙面上を円上に広がっていく。
なお、メイン基板２には、その搭載部品の一つとして、電子錠ボックス１の状態、状況、ステイタスを表示する手段を筐体７の正面に持たせてもよい。例えば、表示手段としてＬＥＤ６を、メイン基板２に搭載し、電子錠ボックス１のステイタスを表示させるようにすることができる。
なお、ＬＥＤ６を何個設けるかは当業者の自由である。
【０００８】
アンテナ基板３は、メイン基板２に立てて設置する。そして、そのアンテナ基板３には、回路パターンとして、プリントアンテナ４が設けられる。電子錠ボックス１は、リモコンからの無線信号をこのプリントアンテナ４で受信するとともに、外部へ無線信号を送信するときは、このプリントアンテナ４から発信する。無線信号の放射面９がメイン基板２に対して垂直方向に広がるので、リモコンの無線信号放射面の広がる方向と一致しやすく、よって、リモコンからの無線信号を受信しやすい。
【０００９】
図２は、電子錠ボックスの正面平面図である。
図１の電子錠ボックス１をＬＥＤ６を設ける側から見た正面図である。ここでは、電子錠ボックス１の筐体７の内部の要素は、破線で示すものとする。なお、図２では、シャックル８は開放状態であることを示している。
メイン基板４の上に、垂直に、もしくは概略垂直に、アンテナ基板３が立っている。紙面に向かって右側のアンテナ基板３の側面がプリントアンテナ４（図２では示さず）が設けてあるプリントアンテナ面５である。なお、プリントアンテナ面５は、紙面に向かって左側のアンテナ基板３の側面とする設計であってもよい。
但し、ＬＥＤ６を設ける側にアンテナ基板３を設けるほうが望ましい。ＬＥＤ６を設ける側は、筐体７の正面側であり、この正面側からリモコンで電子錠ボックス１を無線操作するからである。
【００１０】
図２の場合、プリントアンテナ４の放射面９は、図中、２点鎖線で示すように、紙面すなわちメイン基板４に対して垂直方向に広がる。放射面９とメイン基板２が従来のようにリアクタンス成分などを作って干渉することが少ないので、プリントアンテナ４は、リモコンからの無線信号を受信しやくすなる。つまり、プリントアンテナ４の感度が従来方式より良好になる。また、リモココンへ無線信号を送信しやくすくもなる。
また、アンテナ基板３は、電子錠ボックス１のステイタス表示手段であるＬＥＤ６が設置してある側、すなわち、メイン基板２に向かって向こう側、紙面に向かって奥側ではなく、メイン基板２に向かってこちら側、紙面手前側に設ける構成とする。電子錠システムのリモコンを操作する者は、電子錠ボックス１のＬＥＤ６が設けてある面に相対して、リモコンを操作することになるので、プリントアンテナ４は、メイン基板の向こう側にあるよりこちら側にあるほうが、リモコンが送信する信号を、より確実に受信することができる。
【００１１】
【発明の効果】
本発明に係る電子錠ボックスのプリントアンテナ基板は、以上説明してきたような構成であるので、以下に記載する効果を奏する。
アンテナ基板をメイン基板に立てた状態にして設けるので、アンテナ基板とメイン基板との間の例えばリアクタンス成分などによる干渉が抑えられる。プリントアンテナ基板に設けてあるプリントアンテナ中を流れる電流も減衰しにくい。また、プリントアンテナ基板をメイン基板から見て電子錠ボックスの筐体のステイタス表示側に設けることによって、プリントアンテナをリモコンの側に、より近づけて設けることができる。
よって、リモコンから電子錠ボックスに送信する無線信号または前記電子錠ボックスから前記リモコンに送信する無線信号を、従来よりも、確実に受信もしくは送信することができる電子錠ボックスのプリントアンテナ基板を提供することが可能である。
【図面の簡単な説明】
【図１】電子錠ボックスの要部側面断面図である。
【図２】電子錠ボックスの正面平面図である。
【図３】従来の電子錠ボックスのメイン基板の該略図である。
【符号の説明】
１　電子錠ボックス
２　メイン基板
３　アンテナ基板
３ｂ　アンテナ回路部
４　プリントアンテナ
５　プリントアンテナ面
６　ＬＥＤ
７　筐体
８　シャックル
９　放射面
【図１】
2004036370.tif 000003
【図２】
2004036370.tif 000004
【図３】
2004036370.tif 000005